(57)【要約】【課題】本発明は、引き込み機能を有するスライドレールに関し、引込みストロークを長く構成でき、引き込み最終位置の手前では、引き込みスピードを減速させるスライドレールを提供することを課題とする。【解決手段】移動側レールの引込み部材と、固定側レールの折曲縁と一体に引き込み案内路を形成した引き込み機能を有するスライドレールにおいて、引き込み部材は、連結用支持材と、一端が転結用支持材に回動自在に枢止され、他端に圧接子が回動自在に設けられた回動腕と、回動腕に回動力を付与するバネより構成され、圧接子が固定側レールの折曲縁に弾性的に圧接しながら回動腕が、ほぼ水平姿勢からほぼ垂直姿勢に回動可能とし、動腕が垂直姿勢になる手前で、常に突出状態に付勢されたピストンシャフトの先端部が、移動側レールに形成された減速用突起に当接する位置に減速用ダンパーが、固定側レールに設けられているものである。【選択図】    図４
2018057485.tif 000002
【特許請求の範囲】
【請求項１】
移動側レールの後端部に、固定側レールの折曲縁に弾性的に圧接する圧接子を有する引込み部材を設け、圧接子が圧接する固定側レール折曲縁の後端部所定位置から移動側レールを引き込む方向に固定側レールの折曲縁と一体に引き込み案内路を形成した引き込み機能を有するスライドレールにおいて、引き込み部材は、移動側レールに取り付けられ、少なくとも一部が移動側レールの収納側端部の外側に突出する連結用支持材と、一端が転結用支持材の突出側の端部に回動自在に枢止され、他端に圧接子が回動自在に設けられた回動腕と、回動腕に回動力を付与するバネより構成され、圧接子が固定側レールの折曲縁に弾性的に圧接しながら回動腕が、ほぼ水平姿勢からほぼ垂直姿勢に回動可能とし、回動腕が垂直姿勢になる手前で、常に突出状態に付勢されたピストンシャフトの先端部が、移動側レールに形成された減速用突起に当接する位置に減速用ダンパーが、固定側レールに設けられていることを特徴とするスライドレール。
【請求項２】
引き込み案内路は、圧接子が圧接し、移動側レールを引き込む方向の円弧状に形成されていることを特徴とする請求項１に記載のスライドレール。
【請求項３】
減速用ダンパーがダンパー保持枠と固定側レールの固定側基板によって着脱自在に保持されていることを特徴とする請求項２に記載のスライドレール。
【発明の詳細な説明】
【技術分野】
【０００１】
本発明は、スライドレールに連結された家具等の引出し部、陳列棚等のスライド棚等の移動側部材を、引出し状態（スライド全開状態）から収納位置（最終収納位置）まで完全に移動させなくても、所定位置まで移動されると、後は自動的に家具本体等の固定側部材に引き込まれ、移動側部材を固定側部材に勢いよく移動させた時に生じる移動側部材の跳ね返りの防止、あるいは、運搬時、地震時等、固定側部材からの移動側部材の不用意な飛び出しを防止し、さらに、引き込み終了位置の手前から引き込み速度を減速させる引き込み機能を有するスライドレールに関するものである。
【背景技術】
【０００２】
家具本体等の固定側部材に引出し部等の移動側部材を収納する時、移動側部材を勢い良く収納すると、収納時の跳ね返りによって、移動側部材が完全に収納されなかったり、移動側部材が最初から完全に収納されていなかったりする場合があり、家具の運搬時、地震時に、引出し等が固定側部材から飛び出した勢いで、家具等を運搬中に落下させたり、あるいは転倒することで数々の不都合が生じる原因となっていた。
この問題を解決するため、移動側部材が所定位置まで収納されると、後は自動的に家具本体等の固定側部材に引込む、引込み機能を有するスライドレールが幾種類か提供されている。
【０００３】
その一つとして、固定側部材あるいは移動側部材のいずれか一方側に引込み部材を設け、引込み部材に対応して他方側に引込み力受動部材を設け、引込み部材は、移動側部材が固定側部材に対して最終所定位置に近づいたとき、引込み力受動部材に一部が弾性的に圧接する圧接機構を有し、引込み力受動部材は、圧接機構の圧接力を、移動側部材を固定側部材に対し最終所定位置となす方向への引込み力に変化させる案内傾斜面を構成するものである。（特許文献１参照）
【０００４】
この場合、引込み力受動部材を固定側部材、あるいは移動側部材のいずれかに取り付けなければならず、コストアップにつながる要因となっていた。
さらに、固定側部材あるいは移動側部材と引込み力受動部材は一体ではないので、その連結部分には微妙な段差が生じ、この段差を引込み部材が通過する際、摺動途中に不連続な違和感が発生する原因にもなっていた。
【０００５】
一方、安価に提供できる引込み機能を有するスライドレールとしては、移動側レールの一方のボール摺動溝の端部やや内側内面から他方のボール摺動溝の端部側内面に向かって傾斜する脚体を有する線バネからなる引込み部材を移動側レールに着脱自在に設けることにより、移動側のレールの摺動途中は、固定側レールのボール摺動溝に弾性脚体が接触し、移動側レールが一定位置に達した状態で、固定側レールの摺動方向側の端部に脚体が当接して、移動側レールを自動的に収納位置まで移動させるものが提供されている。（特許文献２参照）
この場合、固定側レールのボール摺動溝の端部の角部に線バネが当接するので、摩擦抵抗が大きく、円滑な摺動操作が損なわれるだけでなく、固定側レールあるいは線バネの何れか硬度の低い方が磨耗するなど、耐久性に問題があった。
【０００６】
又、他の例としては、少なくとも第一スライド部材と第二スライド部材とを備え、第二スライド部材に取り付けられる引込み機構であって、前記引込み機構は、アクチュエータ（係合体）を案内するスロットをもっているハウジングを具備し、アクチュエータ（係合体）は、バネにより生み出される力に応じて移動可能であるようにハウジングに取り付けられ、スロットに沿って第一位置と第二位置との間を滑動することができ、バネにエネルギを蓄積して第一位置に係合されて残ることができる。
【０００７】
そして、引き出された第一スライド部材が引込まれる時には、第一スライド部材が閉止位置に近づいたとき、第一スライド部材はアクチュエータに係合し、閉止位置の方へ引き続き移動するので、アクチュエータ（係合体）を第一位置から離脱させ、それによりエネルギを蓄積したバネが、アクチュエータ（係合体）、及び係合した第一スライド部材をスロットに沿ってスライドが閉じられる第二位置に滑動させる。
一方、第一スライド部材が、第二スライド部材に対して引き出されるとき、第一スライド部材がアクチュエータ（係合体）を第二位置から第一位置の方へ移動させ、アクチュエータ（係合体）はバネにエネルギを蓄積させ、第一位置で係合される。そして、第一スライド部材はアクチュエータから離脱される構成のものも提供されている。（特許文献３参照）
【０００８】
この場合、バネの引張り力で第一スライド部材を第二スライド部材に引き込む構成であるから、第一スライド部材がバネの引張り力に抗して（バネに引張りエネルギを蓄積させながら）引き出され、アクチュエータ（係合体）が第一位置で係合されると、第一スライド部材はアクチュエータから離脱するので、急激に引き出し力が軽くなり、引き出しスピードが速くなって、収納物、展示物等を転倒、落下させる危険があった。
さらに、第一スライド部材が引き出された状態の時、アクチュエータ（係合体）の第一位置での係合状態が不測に外れ、アクチュエータ（係合体）が第二位置移動した状態では、引込み機能が働かない。この状態を、復帰させるためには、手動によって大きな力を負荷し、第一スライドを押し込み、強制的にアクチュエータ（係合体）に第一スライド部材を係合させなければならなかった。
【０００９】
又、簡単な構造でコンパクトに構成でき、耐久性に優れ、円滑な摺動力で、安価に製作でき、故障等の発生も皆無で、操作も容易な引込み機能を有するスライドレールとして、移動側レールの後端部に、固定側レールの折曲縁に形成されたボール摺動溝に弾性的に圧接する圧接子を有する引込み部材を設け、圧接子が圧接する固定側レールのボール摺動溝の後端部所定位置から、移動側レールを引き込む方向に固定側レールの折曲縁を順次傾斜させて、固定側レールのボール摺動溝と同形で、ボール摺動溝に連続する引込み案内路を折曲縁と一体に形成され、引込み部材は移動側レールに先端部が回動自在に枢止され、後端部に設けられた圧接子が固定側レールのボール摺動溝に弾性的に圧接するよう回動力が付与された回動腕と、回動腕に回動力を付与するバネよりなるものが提供されている。（特許文献４参照）
【００１０】
この場合、回動腕は移動側レールに直接枢止されているので、回動腕の回動可能角度は、後端部に設けられた圧接子が固定側レールに圧接できる上下方向の移動範囲に限定される。すなわち、圧接子の上下方向の移動距離が小さい（回動腕の回動可能角度が少ないので、圧接子のスライド方向の移動距離も小さい）ので、引込みストローク（引込み始めから引込み完了までの距離）を大きくするには、引込み案内路を長く構成する必要がある。つまり、引き込み案内路を長く構成すると、引込み力が弱まるだけでなく、引込みストロークを除いたスライドストロークが短くなる。スライドストロークを維持するにはスライドレール全体の長さを長く構成しなければならない。従って、スライドレール全体の長さが長くなると、所定場所に取り付けることができず、引込み機能を断念する結果となっていた。
【先行技術文献】
【特許文献】
【００１１】
【特許文献１】特開２００７−１９５７５４号公報
【特許文献２】特開２００８−１９４３８１号公報
【特許文献３】特許第４３９４３２７号公報
【特許文献４】特開２０１１−２２４２８９号公報
【発明の概要】
【発明が解決しようとする課題】
【００１２】
本発明は、上記問題に鑑み、簡単な構成で、スライドレールの長さに影響を与えず、引込みストロークを長く構成でき、引込み力も低下させることがなく、引き込み最終位置の手前では、引き込みスピードを減速させる引き込み機能を有するスライドレールを提供することを課題とする。
【課題を解決するための手段】
【００１３】
上記課題を解決する為、本発明が第１の手段として構成したところは、移動側レールの後端部に、固定側レールの折曲縁に弾性的に圧接する圧接子を有する引込み部材を設け、圧接子が圧接する固定側レール折曲縁の後端部所定位置から移動側レールを引き込む方向に固定側レールの折曲縁と一体に引き込み案内路を形成した引き込み機能を有するスライドレールにおいて、引き込み部材は、移動側レールに取り付けられ、少なくとも一部が移動側レールの収納側端部の外側に突出する連結用支持材と、一端が転結用支持材の突出側の端部に回動自在に枢止され、他端に圧接子が回動自在に設けられた回動腕と、回動腕に回動力を付与するバネより構成され、圧接子が固定側レールの折曲縁に弾性的に圧接しながら回動腕が、ほぼ水平姿勢からほぼ垂直姿勢に回動可能とし、回動腕が垂直姿勢になる手前で、常に突出状態に付勢されたピストンシャフトの先端部が、移動側レールに形成された減速用突起に当接する位置に減速用ダンパーが、固定側レールに設けられているものである。
【００１４】
上記課題を解決する為、本発明が第２の手段として構成したところは、上記第１の手段としての構成に加え、引き込み案内路は、圧接子が圧接し、移動側レールを引き込む方向の円弧状に形成されたものである。
【００１５】
上記課題を解決する為、本発明が第３の手段として構成したところは、上記第２の手段としての構成に加え、減速用ダンパーがダンパー保持枠と固定側レールの固定側基板によって着脱自在に保持されているものである。
【発明の効果】
【００１６】
本発明の第１の手段として構成したところによると、一端に圧接子が回動自在に設けられた回動腕の他端が、連結用支持材の移動側レールから上下方向のいずれかに突出する突出側の端部に回動自在に枢止されているので、回動腕を、ほぼ水平姿勢からほぼ垂直姿勢の範囲で回動可能に配設することができるので、圧接子は、上下方向からスライド方向に順次移動できるから、引き込み案内路がスライド方向に短くても、引き込みストロークを長く構成することができるので、スライドレール全体の長さを大きくしなくても、必要なスライドストロークを得ることができる。
さらに、回動腕が垂直姿勢になる手前で、ピストン軸の先端部と減速用突起が当接する位置に減速用ダンパーを配設しているので、引き込みスピードが最も速くなる手前で減速されながら引き込まれるので、引き込み感覚が非常に優れている。
【００１７】
本発明の第２の手段として構成したところによると、第１の手段として構成したところの効果に加え、引き込み案内路が、圧接子が圧接し、移動側レールが引き込まれる方向の円弧状に形成されているので、簡単な構造で引き込み力を円滑に強くすることができる。
【００１８】
本発明の第３の手段として構成したところによると、第２の手段として構成したところの効果に加え、減速用ダンパーを、ダンパー保持枠と固定側レールの固定側基板によって着脱自在に保持するようにしたので、減速機能のあるなしのスライドレールの選択が容易に出来る。
【図面の簡単な説明】
【００１９】
【図１】図１は本発明のスライドレールの最短収縮状態の斜視図である。
【図２】図２は本発明のスライドレールの伸長途中の斜視図である。
【図３】図３は最短収縮状態のスライドレールの後端部拡大斜視図である。
【図４】図４は伸長途中のスライドレールの後端部拡大斜視図である。
【図５】図５は本発明の要部分解斜視図である。
【図６】図６は減速用ダンパーの取付状態を示す要部分解斜視図である。
【図７】図７はスライドレールの分解斜視図である。
【図８】図８はスライドレールの伸長途中の要部断面図である。
【図９】図９はスライドレールの断面図である。
【図１０】図１０はスライドレールの最短収縮状態での後端部の側面図である。
【図１１】図１１はスライドレールの最短収縮状態での後端部側からの拡大正面図である。
【図１２】図１２は図１０のＡ−Ａ線拡大断面図である。
【発明を実施するための最良の形態】
【００２０】
移動側レールの後端部に、固定側レールの折曲縁に弾性的に圧接する圧接子を有する引込み部材を設け、圧接子が圧接する固定側レール折曲縁の後端部所定位置から移動側レールを引き込む方向に固定側レールの折曲縁と一体に引き込み案内路を形成した引き込み機能を有するスライドレールにおいて、引き込み部材は、移動側レールに取り付けられ、少なくとも一部が移動側レールの収納側端部の外側に突出する連結用支持材と、一端が転結用支持材の突出側の端部に回動自在に枢止され、他端に圧接子が回動自在に設けられた回動腕と、回動腕に回動力を付与するバネより構成され、圧接子が固定側レールの折曲縁に弾性的に圧接しながら回動腕が、ほぼ水平姿勢からほぼ垂直姿勢に回動可能とし、回動腕が垂直姿勢になる手前で、常に突出状態に付勢されたピストンシャフトの先端部が、移動側レールに形成された減速用突起に当接する位置に減速用ダンパーが、固定側レールに設けられ、引き込み案内路は、圧接子が圧接し、移動側レールを引き込む方向の円弧状に形成されたものである。
【実施例】
【００２１】
以下、実施例を図に基づいて説明する。
符号１００は本発明のスライドレールを示し、スライドレール１００は、移動側レール１と、ボール３０・・・を回転自在に保持するボールリテーナー３を介して移動側レ−ル１と互いに摺動自在となした固定側レール２と、移動側レール１の後端部に取り付けられた引込み部材５と、引込み部材５に対応して、固定側レール２に設けられた引込み案内路７と、固定側レール２に配設された減速用ダンパーより構成されている。
以下、図１において左側斜め上方向を引き出し側（先端側）、右側斜め下方向を収納側（後端側）として説明する。
【００２２】
移動側レール１は、金属製の細長条板の短手両端部を内向き円弧状に折り曲げた内面長手方向にボール摺動溝１０、１０を有する上下両折曲縁１１、１１と、引出し等と連結される移動側レール基板１２より断面略Ｃ字形に形成されている。
そして、移動側レール基板１２の引き出し側端部を固定側レール２方向に折り曲げて移動側収納時ストッパー１３が形成され、移動側レール基板１２の後部側に固定側レール２方向に一部が突出する移動側引出し時ストッパー１４が形成されている。（後記する減速用突起１４０を兼用している。) 
そして、移動側レール１の後端部には引込み部材５（詳細は後記）が取り付けられている。
【００２３】
固定側レール２は、金属製の細長条板の短手両端部を外向き円弧状に折り曲げて形成された外面長手方向にボール摺動溝２０、２０を有する上下両折曲縁２１、２１と、固定側レール基板２２より、断面略Ｃ字形に形成されている。
そして、固定側レール基板２２の引き出し側前部の一部を移動側レール１方向に突出させて移動側レール１が引き出された状態で、ボールリテーナー３の収納側端部が当接するリテーナー後端部ストッパー２３が形成されている。
そして、引込み部材５に対応して固定側レール２の上折曲縁２１の収納側端部を下方に円弧状に折り曲げて、上折曲縁２１と一体に連続する引込み案内路７が形成されている。
【００２４】
ボールリテーナー３は、帯条金属板にて移動側レール１、固定側レール２間に挿入可能な大きさで、かつ、固定側レール２の略３分の１程度の長さで、コ字形の基板３１と、移動側レール１と固定側レール２の上下の折曲縁１１、１１、２１、２１間に突出する基板３１の上下端部に連設された上下の折曲片３２、３２からなり、上下の両折曲片３２、３２の摺動方向の数箇所に複数個のボール３０・・・を回転自在に保持している。
そして、基板３１の収納側端部の一部を固定側レール基板２２側に突出せしめ、移動側レール１が最も引き出された時、前記固定側レール２のリテーナー後端部ストッパー２３の後端に当接して停止するリテーナー引き出し時後ストッパー３３が形成され、基板３１の引き出し側の一部を移動側レール基板１２側に突出せしめ、移動側レール１が最も引き出された時、前記移動側レール１の移動側引出し時ストッパー１４が後端に当接して停止するリテーナー引き出し時前ストッパー３４が形成されている。
【００２５】
すなわち、スライドレール１００は、移動側レール１が最も引き出された状態（最大伸長状態）で、移動側レール１の移動側引出し時ストッパー１４がリテーナー３のリテーナー引き出し時前ストッパー３４に当接し、リテーナー引き出し時後ストッパー３３が、固定側レール２のリテーナー後端部ストッパー２３に当接した状態となって停止し、一方、スライドレール１００の最短収縮状態では、移動側レール１の移動側収納時ストッパー１３が固定側レール２の上下折り曲げ縁２１、２１の前端面に当接して停止している。
【００２６】
引込み案内路７は、固定側レール２の上折曲縁２１の後端側所定位置から、移動側レール１を引き込む方向に固定側レール基板２２から後方に突出する上折曲縁２１を順次下向き円弧状に変形させた形状で、固定側レール２の上折曲縁２１と断面同形で、上折曲縁２１に連続して上折曲縁２１と一体に形成されている。
【００２７】
すなわち、固定側レール２の上折曲縁２１を残して、固定側レール基板２２と下折曲縁２１の後端部を、前後方向に所定寸法切り落して加工用切り落とし部７１が形成された後、残った固定側レール２の上折曲縁２１を下向きの４分の１円弧状に変形されて形成されたものである。
【００２８】
尚、実施例では、引き込み案内路７は、固定側レール２の高さ寸の法（固定側レール基板２２の高さを半径とした４分の１円弧状に形成されているが、半径（曲率半径）を大きくとれば、弧長は長くなるので、引き込みストロークも長くなる反面、後記する引き込み部材５のバネ５３の付勢力が一定であれば引込みスピードは緩やかとなる。（引き込み力は弱くなる。）
一方、半径（曲率半径）が小さい円弧状とすれば、弧長は短くなるので、引き込みストロークも短くなる反面、後記する引き込み部材５のバネ５３の付勢力が一定であれば引込みスピードは速くなる。（引き込み力は強くなる。）
【００２９】
引き込み部材５は、移動側レール基板１２の外面に取り付けられ、収納側端部が移動側レール１の収納側端部から上方で外側に突出する連結用支持材５１と、一端が連結用支持材５１の突出側の上方端部に回動自在に枢止され、他端に圧接子５２３が回動自在に設けられた回動腕５２と、回動腕５２に回動力を付与するバネ５３より構成されている。
【００３０】
連結用支持材５１は、移動側レール基板２２の収納側端部外面に連結される連結用基板５１１と、連結用基板５１１の収納側端部から、固定側レール基板２２の反対方向に一旦突出し、収納側端部が移動側レール１の外側に位置し、上端が移動側レール２の上折曲縁２１の上方に位置する、横断面横向きＬ字形の回動腕支持突部５１２より形成され、回動腕支持突部５１２の上端には枢軸５１０の取り付け孔５１３が形成され、収納側端部の上下方向中間には、バネ５３の一端を保持するバネ保持突起５１４が設けられている。
符号５１５は、移動側レール１に形成された連結孔１２０に対応して形成された連結孔を示している。
そして、移動側レール１に形成された嵌合用突起１２１、１２１に対応して、連結孔５１５の後端側に嵌合用孔（図示せず。）が形成されている。
【００３１】
回動腕５２は、一端が前記回動腕支持突部５１２の取り付け孔５１３に連結用枢軸５１０、連結用枢軸５１０に外嵌し、バネ５３に内嵌する内筒５００、及び、バネ５３を介して、回動自在に一端が連結され、他端に圧接子５２３が回転自在に設けられた、移動側レール１の上下折曲縁１１、１１間よりやや長い長さに形成され、回動腕５２のやや下端部には、バネ保持突起５１４に対応して、バネ５３の他端を保持するバネ端部保持突起５２１が形成されている。
【００３２】
バネ５３は巻きバネが採用されており、バネ係止突起５１４に一端が係止され、他端がバネ端部係止突起５２１に係止され、移動側レール１が引き込まれた状態で、それぞれの端部が開く方向に付勢されている。すなわち、回動腕５２は、図４では後端部が下方に回動する方向（図３では、時計まわりの方向）に付勢された状態となっている。
【００３３】
圧接子５２３は、実施例では、固定側レール２の上折曲縁２１（引込み案内路７）の外形に一致する外形を有する回転ローラーで形成され、回動取付軸５２４、連結孔５２０にて、回動腕５２に回転自在に連結されている。
すなわち、バネ５３の付勢力が一定であれば、枢軸５１０（回動中心点）から圧接子５２３（回転ローラーの中心）までの長さが長い程、圧接子５２３が引込み案内路７に圧接する力が弱くなり、引込みスピードは緩やかとなる。                         
【００３４】
自己復帰型の減速用ダンパー８は、内部に高粘度のオイルあるいはグリスが充填され、自己復帰用のバネが設けられた円筒形のシリンダー本体８１と、シリンダー本体８１に出入自在に保持されたピストンシャフト８２と、ピストンシャフト８２の先端に設けられた緩衝部材８３よりなり、常にピストンシャフト８２がシリンダー本体８１より突出した状態を維持するよう付勢され、ダンパー保持枠９に着脱自在に保持された状態で、ダンパー固定側逃がし孔８０、ダンパー保持枠嵌合孔８０２を介して、固定側レール基板２２の後端部に着脱自在に取り付けられている。
緩衝部材８３は、弾性を有する材料より、ピストンシャフト８２の先端に差し込まれる連結部８３１と、実施例では前記移動側引出し時ストッパー１４と兼用する減速用突起１４０が当接し、消音機能と緩衝機能を有する当接部８３２より構成されている。
【００３５】
ダンパー固定側逃がし孔８０は、シリンダー本体８１の長手寸法よりやや長めの寸法からなる長手部と、円筒形の直径より小さい寸法からなる短手部より長方形形状に形成され、ダンパー保持枠嵌合孔８０２は、ダンパー固定側逃がし孔８０のやや後方に円形状に形成されている。
【００３６】
ダンパー保持枠９は、高さ寸法が固定側レール２の上下両折曲縁２１、２１間に嵌入する大きさで、長さ寸法がダンパー固定側逃がし孔８０とダンパー保持枠嵌合孔８０２の位置よりやや長めで、厚み寸法が固定側レール２の厚みよりやや小さい厚みの略直方体形状で、中央部にシリンダー本体８１を保持するシリンダー本体保持孔９０が形成されている。
【００３７】
そして、シリンダー本体保持孔９０の上下に位置する上下壁９１、９１の固定側レール基板２２側の端部に、上下方向に突出し、固定側レール基板２２と上下両折曲縁２１、２１の角部内面に嵌合する上下嵌合突条９１１、９１１が形成され、シリンダー本体保持孔９０の後側に位置する後壁９２の固定側レール基板２２側の面には、ダンパー保持枠嵌合孔８０２に嵌合する嵌合突起９２１が形成され、シリンダー本体保持孔９０の前側に位置する前壁９３の固定側レール基板２２側の面には、減速用ダンパー８のピストンシャフト８２を保持するシャフト保持凹部９３１が形成されている。
【００３８】
シリンダー本体保持孔９０は、上下嵌合突条９１１、９１１側の固定レール側開口９０１はシリンダー本体８１よりやや大きく、その反対側の移動レール側開口９０２は、ダンパー固定側逃がし孔８０にほぼ一致する大きさ（短手部が円筒形の直径より小さい寸法）に形成されている。
すなわち、減速用ダンパー８は、ダンパー保持枠９の固定レール側開口９０１からシリンダー本体保持孔９０に嵌入された状態では、固定レール側開口９０１から出入自在な状態で保持されているが、上下嵌合突条９１１、９１１が固定側レール基板２２と上下両折曲縁２１、２１の角部内面に係合し、ダンパー保持枠嵌合孔８０２に嵌合突起９２１が嵌合した状態で、ダンパー固定側逃がし孔８０にシリンダー本体８１の一部が嵌入し、シリンダー本体保持孔９０の移動レール側開口９０２にシリンダー本体８１の一部が嵌入した状態（図１２に示す。）で、ダンパー保持枠９と固定側レール基板２２によってシリンダー本体８１は保持され、ピストンシャフト８２は引き出し方向に突出する。
【００３９】
そして、減速用ダンパー８を固定側レール２から取り外すときは、固定側レール基板２２の裏面側から、ダンパー固定側逃がし孔８０に臨むシリンダー本体８１を、固定側レール基板２２から離脱する方向に押しやり、上下嵌合突条９１１、９１１と固定側レール基板２２と上下両折曲縁２１、２１の角部内面の係合状態を解除し、ダンパー保持枠９と共に取り外す。
【００４０】
本発明は上記のごとく構成され、スライドレール１００の最短収縮状態（図１、図３、図１０、図１１）では、圧接子５２３は、バネ５３によって引込み案内路７の下端部に弾性的に圧接し、常に移動側レール２を収納側方向に移動するよう付勢しているので、移動側レール２は不用意に前方に引き出されることがなく、スライドレール１００の最短収縮状態を確実に維持することが出来る。
【００４１】
そして、この状態から、移動側レール１が引き出されると、バネ５３の付勢力に抗して回動腕５２は、図１０で時計廻りに回動しながら、移動側レール１と共に前方に移動し、圧接子５２３は案内路７から固定側レール１の上折曲縁２１の外面後端部に位置する。（図８に示す状態。）この時、圧接子５２３の圧接方向が引込み案内路７の形状変化によって、初期抵抗よりは小さな抵抗で移動側レール１は前方に移動し、次に、圧接子５２３は固定側レール２の上折曲縁２１に位置し、バネ５３の付勢力による抵抗がほとんどなくなった状態で移動側レール１は最大伸長状態まで引き出される。
【００４２】
すなわち、移動側部材の引き出し始めは、使用者が強めの感覚で引き出す傾向があるのを利用し、引込み案内路７を円弧状とすることで、円滑な摺動感覚を得ることが出来るだけでなく、案内路７、固定側レール２の上折曲縁２１が同形で連続して一体に形成されているので、微妙な段差もなく、圧接子５２３が、引込み案内路７から上折曲縁２１にそれぞれ移動する段階（逆の段階でも同じ。）においても何ら違和感を生じることがない。
又、スライドレール１００の最短収縮状態で、圧接子５２３は円弧状の下向き方向の端部に圧接しているので、スライドレール１００の最短収縮状態を確実に維持する事が出来る。
【００４３】
そして、スライドレール１００の最大伸長状態から、移動側レール１を押し込んでいくと（移動側レール１と連結された移動側部材を収納していくと）、圧接子５２３は、固定側レール２の上折曲縁２１の後端から引込み案内路７に位置し、バネ５３の付勢力によって、移動側レール１は自動的に引込まれていく。
そして、バネの両端部が順次開くことでバネ５３の付勢力が弱まるが、引込み案内路７の収納側端部は下向きに突出した形状となっているから、圧接子５２３の圧接方向がスライドレール１００の摺動方向に近づき、バネ６３の付勢力の弱まりを補い、強く引き込まれようとする（引き込み速度が速くなろうとする）時、減速用突起１４０（移動側引き出し時ストッパー１４）が、ピストンシャフト８２の緩衝部材８３に形成された当接部８３２に衝突し、ピストンシャフト８２をシリンダー本体８１に押し込むよう作用することで移動側レール１の引き込み速度は急激に減速され、その後緩やかに引き込まれ、やがて回動腕５２は略垂直姿勢となり、スライドレール１００の最短縮小状態となり、確実に最短縮小状態を維持する。
【００４４】
さらに、回動腕５２を、ほぼ水平姿勢からほぼ垂直姿勢の範囲で回動可能に配設しているので、圧接子５２３は、上下方向からスライド方向に順次移動できるから、引き込み案内路７がスライド方向に短くても、引き込みストロークを長く構成することができるので、スライドレール全体の長さを大きくしなくても、必要なスライドストロークを得ることができる。
【産業上の利用可能性】
【００４５】
以上詳述したように、本発明は、家具等の本体と引出し間、あるいは陳列棚本体と棚板間、さらには、複写機本体と給紙トレー間や、調理機器のグリルなどの引き出し部に取り付けて使用することができ、広範囲で利用可能である。
【符号の説明】
【００４６】
１              移動側レール
１１、１１      上下折曲縁
１００          スライドレール
２              固定側レール
２１、２１      上下折曲縁
５              引込み部材
５１            連結用支持材
５２            回動腕
５２３          圧接子（回転ローラー）
５３            バネ（巻きバネ）
７              引込み案内路
８              減速用ダンパー
８１            シリンダー本体
８２            ピストンシャフト
９              ダンパー保持枠
【図１】
2018057485.tif 000003
【図２】
2018057485.tif 000004
【図３】
2018057485.tif 000005
【図４】
2018057485.tif 000006
【図５】
2018057485.tif 000007
【図６】
2018057485.tif 000008
【図７】
2018057485.tif 000009
【図８】
2018057485.tif 000010
【図９】
2018057485.tif 000011
【図１０】
2018057485.tif 000012
【図１１】
2018057485.tif 000013
【図１２】
2018057485.tif 000014